(57)【特許請求の範囲】
【請求項１】
ケーシングと、
前記ケーシングの前面に取り付けられる前面パネルと、
前記前面パネルに取り付けられる移動板と、
前記移動板を移動させる移動機構と、
前記移動板の位置を検出する位置検出スイッチと、
前記移動板の移動に伴って前記移動板の動作面に沿って回動するレバー部材とを備え、
前記移動板には、前記レバー部材の一端に当接する凸部が設けられ、
前記レバー部材は、その一端が前記移動板の凸部に押圧されることによって、その他端が前記位置検出スイッチを押圧するものであって、
前記位置検出スイッチは、前記移動板に対して直交する方向から見たときに、前記移動板の移動範囲内に配置され、且つ、前記移動板の動作面に平行な外力を検知することを特徴とする、室内機。
【請求項２】
前記レバー部材は、前記動作面と平行な方向にバネ性を有することを特徴とする、請求項１に記載の室内機。
【請求項３】
前記移動板に沿って配置され、前記移動板とは反対側の面に前記位置検出スイッチ及び前記レバー部材が設けられるケースをさらに備え、
前記凸部は、前記移動板の前記ケース側の面に設けられると共に、
前記ケースの前記移動板側の面には、前記凸部の移動軌跡に沿った凹部が設けられており、
前記レバー部材の一端は、前記凹部に形成される開口部を介して前記移動板側に露出しており、その露出した前記レバー部材の一端は、前記凹部に沿って移動する前記凸部に押圧されることを特徴とする、請求項１又は２に記載の室内機。
【請求項４】
前記移動板に沿って配置されるケースをさらに備え、
前記ケースの前記移動板とは反対側の面には、前記位置検出スイッチ、及び、前記移動板を移動させる駆動源となるモータが取り付けられることを特徴とする、請求項１〜３のいずれか１項に記載の室内機。
【発明の詳細な説明】
【技術分野】
【０００１】
本発明は、前面パネルを移動させる移動板の位置を検出する位置検出スイッチを備えた室内機に関する。
【背景技術】
【０００２】
従来から、吹出口の前面を覆う導風パネルが、吹出口を覆う閉状態になったこと、及び、吹出口を露出させる開状態になったこと、を検出する位置検出スイッチを備えた室内機が知られている（例えば、特許文献１参照）。この特許文献１に開示される室内機では、導風パネルを移動させるアーム（移動板）の位置を検出することによって、導風パネルが閉状態又は開状態を検知している。この室内機では、文献１の図１４及び図１５に示されるように、アーム回動面に対して直交する方向から見たときに、位置検出スイッチがアームの移動範囲外にあり、アームが回動していないとき（導風パネルが閉じた状態のとき）に、アームが位置検出スイッチに接触している（文献１の図１４参照）。
【先行技術文献】
【特許文献】
【０００３】
【特許文献１】特開２００９−２１０１７７号公報
【発明の概要】
【発明が解決しようとする課題】
【０００４】
しかしながら、上記特許文献１に記載の室内機では、アームが回動していないときに、そのアームが位置検出スイッチに接触し、且つ、アームが回動したときに、そのアームが位置検出スイッチに接触しないように、位置検出スイッチが配置されているので、位置検出スイッチを取り付けるスペースをアームの移動範囲外に設けなければならない（上記文献１の図１４及び図１５参照）。つまり、パネルを移動させる移動板の位置検出スイッチを備えた室内機では、位置検出スイッチの設置スペースを確保する必要があるため、室内機のコンパクト化を図るのが難しかった。
【０００５】
そこで、この発明は、上記のような課題を解決するためになされたものであり、本発明の目的は、前面パネルを移動させる移動板の位置検出スイッチを備えた室内機のコンパクト化を図ることである。
【課題を解決するための手段】
【０００６】
上記課題を解決するために、第１の発明にかかる室内機は、ケーシングと、前記ケーシングの前面に取り付けられる前面パネルと、前記前面パネルに取り付けられる移動板と、  前記移動板を移動させる移動機構と、前記移動板の位置を検出する位置検出スイッチと、前記移動板の移動に伴って前記移動板の動作面に沿って回動するレバー部材とを備え、前記移動板には、前記レバー部材の一端に当接する凸部が設けられ、前記レバー部材は、その一端が前記移動板の凸部に押圧されることによって、その他端が前記位置検出スイッチを押圧するものであって、前記位置検出スイッチは、前記移動板に対して直交する方向から見たときに、前記移動板の移動範囲内に配置され、且つ、前記移動板の動作面に平行な外力を検知する。
【０００７】
この室内機では、位置検出スイッチが、移動板に対して直交する方向から見たときに、移動板の移動範囲内に配置されることによって、当該方向から見たときの室内機の大きさは、位置検出スイッチを設けたとしても変化しない。
なお、移動板に対して平行な方向から見たとき、この室内機は、当該位置検出スイッチの大きさだけ、移動板に対して直交する方向に大きくなるが、当該位置検出スイッチを移動板の動作面に平行な外力を検知するように配置することによって、室内機が移動板に対して直交する方向に大きくなるのを抑制することができる。
これらの結果、位置検出スイッチを備えた室内機のコンパクト化を図ることが可能となる。
【０００８】
【０００９】
この室内機では、位置検出スイッチを移動板の動作面と平行な外力を検知するように配置しても、移動板の移動に応じて位置検出スイッチのＯＮ／ＯＦＦを容易に行なうことができる。
【００１０】
第２の発明にかかる室内機は、第１の発明に係る室内機において、レバー部材は、動作面と平行な方向にバネ性を有する。
【００１１】
この室内機では、位置検出スイッチの押込力をコントロールでき、レバー部材の長寿命化が期待できる。これにより、レバー部材の交換周期が延び、メンテナンス性が向上する。
【００１２】
第３の発明にかかる室内機は、第１又は第２の発明にかかる室内機において、前記移動板に沿って配置され、前記移動板とは反対側の面に前記位置検出スイッチ及び前記レバー部材が設けられるケースをさらに備え、前記凸部は、前記移動板の前記ケース側の面に設けられると共に、前記ケースの前記移動板側の面には、前記凸部の移動軌跡に沿った凹部が設けられており、前記レバー部材の一端は、前記凹部に形成される開口部を介して前記移動板側に露出しており、その露出した前記レバー部材の一端は、前記凹部に沿って移動する前記凸部に押圧される。
【００１３】
この室内機では、移動板及び位置検出スイッチをケースを挟んで配置しても、ケースに形成される開口部を介してレバー部材が移動板に押圧されるので、移動板の位置検出が可能になる。
【００１４】
第４の発明にかかる室内機は、第１〜第３の発明にかかる室内機において、移動板に沿って配置されるケースをさらに備え、ケースの移動板とは反対側の面には、位置検出スイッチ、及び、移動板を移動させる駆動源となるモータが取り付けられる。
【００１５】
この室内機では、位置検出スイッチ及びモータがケースの同一面に配置されることになり、位置検出スイッチ及びモータの配線処理が簡単になる。
【発明の効果】
【００１６】
以上の説明に述べたように、本発明によれば、以下の効果が得られる。
【００１７】
第１の発明では、位置検出スイッチを備えた室内機のコンパクト化を図ることが可能となる。
【００１８】
また、第１の発明では、移動板の移動に応じて位置検出スイッチのＯＮ／ＯＦＦを容易に行なうことができる。
【００１９】
また、第２の発明では、レバー部材の長寿命化を図ることによりレバー部材の交換周期が延び、メンテナンス性が向上する。
【００２０】
また、第３の発明では、移動板及び位置検出スイッチをケースを挟んで配置しても、ケースに形成される開口部を介してレバー部材が移動板に押圧されるので、移動板の位置検出が可能になる。
【００２１】
また、第４の発明では、位置検出スイッチ及びモータがケースの同一面に配置されることになり、位置検出スイッチ及びモータの配線処理が簡単になる。
【図面の簡単な説明】
【００２２】
【図１】本発明の一実施形態に係る室内機の運転停止時の状態を示した斜視図である。
【図２】図１に示した室内機の前面パネルの回動途中の状態を示した斜視図である。
【図３】図１に示した室内機のメンテナンス時の状態を示した斜視図である。
【図４】図１に示した室内機の（ａ）運転停止時、（ｂ）前面パネルの回動途中、（ｃ）メンテナンス時の状態を示した正面図である。
【図５】図１に示した室内機の右側方部分の内部構造を示した断面図である。
【図６】図１に示した室内機の（ａ）運転停止時、（ｂ）前面パネルの回動途中、（ｃ）メンテナンス時の状態を示した側面図である。
【図７】前面パネルを省略した室内機の（ａ）運転停止時、（ｂ）前面パネルの回動途中、（ｃ）メンテナンス時の状態を示した側面図である。
【図８】図１に示した室内機の移動機構の全体斜視図である。
【図９】図８に示した移動機構の分解斜視図である。
【図１０】（Ａ）パネル支持アームが収納位置に配置された状態、及び、（ｂ）パネル支持アームが引出位置に配置された状態、を示した移動機構の正面図である。
【図１１】（Ａ）パネル支持アームが収納位置に配置された状態、及び、（ｂ）パネル支持アームが引出位置に配置された状態、を示した上ケース部材を省略した移動機構の正面図である。
【図１２】（ａ）図１０のＡ１−Ａ１線に沿った断面図、及び、（ｂ）図１０のＡ２−Ａ２線に沿った断面図である。
【発明を実施するための形態】
【００２３】
以下、図面に基づいて、本発明に係る室内機の実施形態について説明する。
【００２４】
＜空気調和装置の概要＞
本発明の一実施形態に係る空気調和機の室内機１は、室外に設置される室外機に冷媒配管を介して接続されており、室内機１内及び室外機内に収納された機器・弁類と冷媒配管とが接続されて冷媒回路を構成している。
【００２５】
＜室内機１＞
室内機１は、図１〜図５に示すように、壁掛け型の室内機であって、主として、熱交換器（図示省略）、ファン（図示省略）、熱交換器やファンを内部に収容するケーシング１０、ケーシング１０の前面に取り付けられる前面パネル２０、及び、前面パネル２０を移動可能に構成する移動機構３０（図５参照）を備えている。本実施形態の室内機１は、前面パネル２０が上部を回転軸として下部がケーシング１０から離れるように回動可能であって、運転停止時には、図１及び図４（ａ）に示すように、吹出口２を覆う位置に配置され、運転動作時には、吹出口２を露出させる位置に回動する。また、この室内機１は、フィルタ５のメンテナンス時など、図３及び図４（ｃ）に示すように、前面パネル２０が上方に大きく回動して、ケーシング１０の前面部１３を露出させる。
【００２６】
＜ケーシング１０＞
ケーシング１０は、図４に示すように、正面視において、左右方向（Ｘ方向）に長い略長方形状である。このケーシング１０は、天面部１１、底面部１２、前面部１３、及び、側面部（右側面部、左側面部）１４を有している。そして、天面部１１には天面吸込口３ａが設けられると共に、前面部１３には前面吸込口３ｂ（図４（ｃ）参照）が設けられる。また、前面部１３の下方から底面部１２の前方に至る部分には、吹出口２が設けられている。天面吸込口３ａ及び前面吸込口３ｂは、室内空気をケーシング１０の内部に取り込むための開口であり、吹出口２は、調和された空気を室内に吹き出すための開口である。また、図５に示すように、右側面部１４及び左側面部１４の各々には、側面パネル１５が取り付けられている。
【００２７】
＜側面パネル１５＞
図５に示すように、上記したケーシング１０の側面部１４と、側面パネル１５との間には、後述する移動機構３０を収納するための収納空間Ｓが形成されている。この側面パネル１５は、第１湾曲部１５ａと、第１湾曲部１５ａに連続して形成される第２湾曲部１５ｂとを有している。第１湾曲部１５ａは、側面部１４の背面側（据付面側）の部分を覆うように配置されると共に、第２湾曲部１５ｂは、側面部１４の前面側の部分を覆うように配置される。この第１湾曲部１５ａは、水平方向の断面が略Ｓ字状に湾曲した形状を有しており、第２湾曲部１５ｂは、水平方向の断面が外側に向かって凸状の円弧状に湾曲した曲面を有している。そして、第１湾曲部１５ａの外周面には、化粧パネル１６が設けられている。
【００２８】
＜化粧パネル１６＞
化粧パネル１６は、図１〜図３に示すように、前面パネル２０と共に、室内機１の外観を構成するパネルであって、後述する前面パネル２０（側面パネル部２２）の外周面と連続する外周面を形成するように構成されている。この化粧パネル１６は、図５に示すように、前述した第１湾曲部１５ａの外周面を覆っており、その形状は、第１湾曲部１５ａと略同一のＳ字状の水平断面形状である。
【００２９】
＜前面パネル２０＞
前面パネル２０は、室内機１の最も前面側に配置されるパネルであって、上記したように、室内機１の使用状態に応じて、回動可能となっている（図１〜図４参照）。この前面パネル２０は、略平坦な形状を有する正面パネル部２１と、正面パネル部２１の幅方向（Ｘ方向）の両端から後方（背面側）に連続して形成される側面パネル部２２とを有している。正面パネル部２１は、ケーシング１０の前面部１３の略全体を覆うと共に、側面パネル部２２は、前述した第２湾曲部１５ｂを覆っている。この側面パネル部２２は、第２湾曲部１５ｂと同様に、水平方向の断面が外側に向かって凸状の円弧状に湾曲した曲面を有している。この側面パネル部２２と上記した化粧パネル１６は、それらの外周面が連続した面を形成するように、側面パネル部２２の後端部と化粧パネル１６の前端部とが、段差無く一致している。また、前面パネル２０の内面（ケーシング１０の前面部１３に対向する面）には、後述するパネル支持アーム３３の軸受穴３３ｂ（図１０及び図１１参照）に回転可能に支持される軸部２３（図６参照）が設けられている。
【００３０】
＜移動機構３０＞
移動機構３０は、ケーシング１０の側面部１４と側面パネル１５との間に形成される収納空間Ｓに配置される。この移動機構３０は、図６及び図７に示すように、前面パネル２０を回動させてケーシング１０の前面部１３を露出させるときに、前面パネル２０を回転可能に軸支するパネル支持アーム３３を移動させる。この移動機構３０は、運転停止時において（図１参照）、パネル支持アーム３３をケース３４に収納した収納位置（図１０（Ａ）及び図１１（Ａ）参照）に移動させると共に、メンテナンス時において（図３参照）、パネル支持アーム３３をケース３４から引き出した引出位置（図１０（Ｂ）及び図１１（Ｂ）参照）に移動させる。このように、メンテナンス時において、パネル支持アーム３３を引出位置に移動させることによって、パネル支持アーム３３に支持される前面パネル２０の回動中心Ｐ２は、運転停止時における回動中心Ｐ１に比べて、前面側かつ上方になる。これにより、前面パネル２０を大きく回動させることが可能となり、ケーシング１０の前面部１３を露出させることが可能となる。
【００３１】
この移動機構３０は、図８及び図９に示すように、主として、駆動源としてのモータ３１と、モータ３１の駆動力を伝達する中間ギア３２と、ギア３２からの駆動力を受けて移動するパネル支持アーム３３と、パネル支持アーム３３が収納されるケース３４と、パネル支持アーム３３の位置を検出する位置検出スイッチ３５と、パネル支持アーム３３及び位置検出スイッチ３５の間に配置されるレバー部材３６とを有している。
【００３２】
モータ３１は、パネル支持アーム３３を移動させる駆動源として機能する。このモータ３１は、ケース３４の上ケース部材３４Ａのパネル支持アーム３３とは反対側の面に取り付けられている。このモータ３１のモータ軸は、上ケース部材３４Ａの貫通孔３４Ａ１を通過して、ケース３４の収納空間Ｔに配置される。そして、モータ３１のモータ軸には、ケース３４の収納空間Ｔに配置される軸ギア３１ａが取り付けられている。
【００３３】
中間ギア３２は、前述した軸ギア３１ａに噛合し、モータ３１の駆動力をパネル支持アーム３３に伝達するために設けられている。この中間ギア３２は、ケース３４の収納空間Ｔに配置され、上記した軸ギア３１ａ及びパネル支持アーム３３のラックギア３３ａに噛合している。
【００３４】
パネル支持アーム３３は、図１０及び図１１に示すように、モータ３１からの駆動力を受けて、室内機１の前方側且つ上方側（移動方向Ｄ）に移動する部材（移動板）である。このパネル支持アーム３３は、前面パネル２０を回動可能に軸支しており、前面パネル２０は、パネル支持アーム３３と共に移動する。パネル支持アーム３３は、前述した中間ギア３２に噛合するラックギア３３ａを有している。このラックギア３３ａは、パネル支持アーム３３の移動方向Ｄに沿って形成されている。また、パネル支持アーム３３は、上部に行くほど幅が狭くなる三角定規に似た板状の部品であって、その最上部近傍には、前面パネル２０を回転可能に軸支する軸受穴３３ｂが形成されている。また、パネル支持アーム３３には、前述したラックギア３３ａが延びる方向と略平行に形成された長穴状の第１摺動開口３３ｃと第２摺動開口３３ｄとが形成されている。第１摺動開口３３ｃには、ローラ３７ａが設けられると共に、第２摺動開口３３ｄには、ローラ３７ｂが設けられており、両ローラ３７ａ及び３７ｂがパネル支持アーム３３の移動をガイドしている。また、パネル支持アーム３３の移動方向Ｄの後端には、ローラ３７ｃが取り付けられている。そして、本実施形態では、パネル支持アーム３３の上ケース部材３４Ａ側の面には、図９に示すように、後述するレバー部材３６を押圧する凸部３３ｅが設けられている。この凸部３３ｅは、パネル支持アーム３３が移動方向Ｄに沿って移動する際に、後述する上ケース部材３４Ａに形成される凹部３４Ａ２に沿って移動し、パネル支持アーム３３が引出位置（図１０（Ｂ）及び図１１（Ｂ）参照）所定の位置に到達したときに、レバー部材３６を押圧する。
【００３５】
ケース３４は、図９に示すように、パネル支持アーム３３の一方面側に配置される上ケース部材３４Ａと、パネル支持アームの他方面側に配置される下ケース部材３４Ｂとを有している。このケース３４は、上ケース部材３４Ａと下ケース部材３４Ｂとを組付けることによって、両部材３４Ａ，３４Ｂの間にパネル支持アーム３３や中間ギア３２等が収納される収納空間Ｔ（図８参照）を形成する。本実施形態では、上ケース部材３４Ａのパネル支持アーム３３とは反対側の面には、上記したモータ３１、位置検出スイッチ３５及びレバー部材３６が設けられている。上ケース部材３４Ａには、上記したモータ３１のモータ軸が通過する貫通孔３４Ａ１が形成されている。また、上ケース部材３４Ａのパネル支持アーム３３側の面には、パネル支持アーム３３の移動方向Ｄに沿って形成される凹部３４Ａ２が形成されると共に、当該凹部３４Ａ２の上端部近傍には、開口部３４Ａ３が形成されている。凹部３４Ａ２は、上記したパネル支持アーム３３の凸部３３ｅが移動する通路であって、パネル支持アーム３３が引出位置に配置されたときに（図１０（Ｂ）及び図１１（Ｂ）参照）、凹部３４Ａ２内の凸部３３ｅが開口部３４Ａ３から露出する。また、下ケース部材３４Ｂは、上記したギア３１ａ，３２を収容するギア収容部３４Ｂ１、及び、ローラ３７ｃが当接するガイド面３４Ｂ２を有している。
【００３６】
位置検出スイッチ３５は、パネル支持アーム３３の位置を検出するために設けられており、図１０（Ａ）及び図１１（Ａ）に示したパネル支持アーム３３の収納位置において、ＯＦＦ状態となり、図１０（Ｂ）及び図１１（Ｂ）に示したパネル支持アーム３３の引出位置において、ＯＮ状態となる。この位置検出スイッチ３５は、上記したモータ３１の下方に取り付けられており、スイッチ本体３５ａと、スイッチ本体３５ａを保持する保持ケース３５ｂとを有している。ここで、本実施形態では、位置検出スイッチ３５のスイッチ本体３５ａは、図１０及び図１１に示すように、パネル支持アーム３３に対して直交する方向（Ｘ１方向）から見たときに、パネル支持アーム３３の移動範囲内に配置されている。特に、本実施形態では、図１０（Ａ）及び図１１（Ａ）に示すように、パネル支持アーム３３がケース３４に収納された収納位置において、パネル支持アーム３３に対して直交する方向（Ｘ１方向）から見たときに、スイッチ本体３５ａの全体が、パネル支持アーム３３の内側範囲内に配置されている。
【００３７】
さらに、本実施形態では、位置検出スイッチ３５は、パネル支持アーム３３の動作面に平行な外力を検知するように配置されている。具体的には、図１２に示すように、スイッチ本体３５ａに設けられる検知部３５ｃが、当該動作面に平行に撓むように構成されることで、位置検出スイッチ３５は、パネル支持アーム３３の動作面に平行な方向（図１２ではＰ方向）の外力を検知可能となる。
【００３８】
レバー部材３６は、上記したスイッチ本体３５ａの検知部３５ｃを押圧するための部材であって、図９及び図１２に示すように、パネル支持アーム３３の凸部３３ｅに当接する一端３６ａと、スイッチ本体３５ａの検知部３５ｃに当接する他端３６ｂと、前記一端３６ａが凸部３３ｅに押圧されたときに前記他端３６ｂがパネル支持アーム３３の動作面と平行な方向に回動するように軸支する軸部３６ｃとを有している。このレバー部材３６は、樹脂製であって、その一端３６ａから他端３６ｂにかけて湾曲した形状に成形されることによって、パネル支持アーム３３の動作面と平行な方向にバネ性を有している。
【００３９】
＜パネル支持アーム３３の動作説明＞
本実施形態の室内機１では、運転停止時（図１参照）において、図１０（Ａ）及び図１１（Ａ）に示すように、パネル支持アーム３３がケース３４に収納されている。この図１０（Ａ）及び図１１（Ａ）に示したパネル支持アーム３３の収納位置では、略三角形状のパネル支持アーム３３の略全体がケース３４の収納空間Ｔに収納されている。このように、パネル支持アーム３３がケース３４の収納空間Ｔに収納される位置に配置されることによって、その軸受穴３３ｂ、即ち前面パネル２０の回動中心Ｐ１が、室内機１の中心に（室内機が取り付けられる据付面側に）近くなる。これにより、前面パネル２０が室内機１の中心に近い位置に配置されることになり、室内機１の薄型化が図られている。この運転停止時には、前面パネル２０は回動せずに、正面視において前面パネル２０以外の部材が露出しないようになっている（図１及び図４（ａ）参照）。これにより、室内の居住者に室内機１の存在に起因する圧迫感を与えないようにしている。
【００４０】
そして、室内機１のメンテナンスを行うために、上記した運転停止時の状態から前面パネル２０を回動させていくと、図１０（Ｂ）及び図１１（Ｂ）に示すように、パネル支持アーム３３がケース３４の収納空間Ｔから引き出される。このとき、パネル支持アーム３３は、上記した運転停止時に比べて、前面側かつ上方に移動し、前面パネル２０の回転中心Ｐ２が前面側かつ上方に移動する。これにより、前面パネル２０を大きく回動させることが可能となり、ケーシング１０の前面部１３及びフィルタ５が露出される。上記したパネル支持アーム３３の移動は、次のように行なわれる。まず、モータ３１が駆動して、そのモータ軸が回転することにより、モータ軸に取り付けられる軸ギア３１ａ及びその軸ギア３１ａに噛合する中間ギア３２が回転する。これにより、中間ギア３２に噛合するパネル支持アーム３３のラックギア３３ａにモータ３１の駆動力が伝達し、パネル支持アーム３３は、ラックギア３３ａが延在する方向（移動方向Ｄ）に移動する。
【００４１】
＜パネル支持アーム３３の位置検出方法＞
本実施形態では、移動可能なパネル支持アーム３３が所定の位置（図１０（Ｂ）及び図１１（Ｂ）参照）まで引き出されたことを、上記した位置検出スイッチ３５により検知している。パネル支持アーム３３が移動方向Ｄに沿って移動すると、そのパネル支持アーム３３の移動に伴って凸部３３ｅが凹部３４Ａ２内を移動する。そして、当該凸部３３ｅが凹部３４Ａ２の開口部３４Ａ３まで移動すると、図１２（ａ）及び（ｂ）に示すように、当該開口部３４Ａ３から露出するレバー部材３６の一端３６ａが凸部３３ｅによって押圧される。これにより、レバー部材３６の他端３６ｂが軸部３６ｃを中心に回動する。このとき、レバー部材３６の他端３６ｂは、パネル支持アーム３３の動作面と平行に回動して、スイッチ本体３５ａの検知部３５ｃを押圧する。これにより、スイッチ本体３５ａがＯＮになり、パネル支持アーム３３の位置が検出される。その結果、パネル支持アーム３３が正常に移動しているか否かを検知することが可能となる。
［本実施形態の室内機の特徴］
本実施形態の室内機１には、以下のような特徴がある。
【００４２】
本実施形態の室内機１では、パネル支持アーム３３に対して直交する方向（Ｘ１方向）から見たときに、位置検出スイッチ３５をパネル支持アーム３３の移動範囲内に配置することによって、当該方向から見たときの室内機１の大きさは、位置検出スイッチ３５を設けたとしても変化しない。
なお、パネル支持アーム３３に対して平行な方向（Ｙ１方向）から見たとき、この室内機１は、当該位置検出スイッチ３５の大きさだけ、パネル支持アーム３３に対して直交する方向に大きくなるが、当該位置検出スイッチ３５をパネル支持アーム３３の動作面に平行な外力を検知するように配置することによって、室内機１がパネル支持アーム３３に対して直交する方向に大きくなるのを抑制することができる。
これらの結果、位置検出スイッチ３５を備えた室内機１のコンパクト化を図ることが可能となる。
【００４３】
また、本実施形態の室内機１では、パネル支持アーム３３の移動に伴って動作面に沿って回動するレバー部材３６を設けることによって、位置検出スイッチ３５をパネル支持アーム３３の動作面と平行に配置しても、パネル支持アーム３３の移動に応じて位置検出スイッチ３５のＯＮ／ＯＦＦを容易に行なうことができる。
【００４４】
本実施形態の室内機１では、レバー部材３６を動作面と平行な方向にバネ性を有するように構成することによって、位置検出スイッチ３５の押込力をコントロールでき、レバー部材３６の長寿命化が期待できる。これにより、レバー部材３６の交換周期が延び、メンテナンス性が向上する。
【００４５】
また、本実施形態の室内機１では、レバー部材３６の一端３６ａを凹部３４Ａ２に形成される開口部３４Ａ３を介してパネル支持アーム３３側に露出させ、且つ、その露出したレバー部材３６の一端３６ａを凹部３４Ａ２に沿って移動する凸部３３ｅに押圧されるように構成することによって、パネル支持アーム３３と位置検出スイッチ３５とを上ケース部材３４Ａを挟んで配置しても、上ケース部材３４Ａに形成される開口部３４Ａ３を介してレバー部材３６がパネル支持アーム３３に押圧されるので、パネル支持アーム３３の位置検出が可能になる。
【００４６】
また、本実施形態の室内機１では、位置検出スイッチ３５及びモータ３１を上ケース部材３４Ａの同一面に配置することによって、位置検出スイッチ３５及びモータ３１の配線処理が簡単になる。
【００４７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００４８】
例えば、上記実施形態では、パネル支持アーム３３と位置検出スイッチ３５との間に、レバー部材３６を設けて、パネル支持アーム３３の位置検出を行なっていたが、本発明はこれに限らず、パネル支持アーム３３が位置検出スイッチ３５を直接押圧してもよい。
【産業上の利用可能性】
【００４９】
本発明を利用すれば、前面パネルを移動させる移動板の位置検出スイッチを備えた室内機のコンパクト化を図ることができる。
【符号の説明】
【００５０】
１  室内機
１０  ケーシング
２０  前面パネル
３０  移動機構
３３  パネル支持アーム（移動板）
３５  位置検出スイッチ
３６  レバー部材
【図１】
0005471499.tif 000002
【図２】
0005471499.tif 000003
【図３】
0005471499.tif 000004
【図４】
0005471499.tif 000005
【図５】
0005471499.tif 000006
【図６】
0005471499.tif 000007
【図７】
0005471499.tif 000008
【図８】
0005471499.tif 000009
【図９】
0005471499.tif 000010
【図１０】
0005471499.tif 000011
【図１１】
0005471499.tif 000012
【図１２】
0005471499.tif 000013